(57)【要約】本発明は、遮集管渠の土砂流入防止装置に関するものであり、雨水により下水量の増える初期に、開放ストッパを介して各回転開閉板の後方が下向きになる現象を防止することにより、下水量の増える初期に土砂が遮集管渠に流入するのを防ごうとするものである。そして、本発明は、下水路の排出側に具備されており、一つ以上の下水流入ホールを含む下水路用遮集管渠において、上記下水流入ホールには横方向に横切る回転軸が具備されるのだが、この回転軸には下水の量により下水流入ホールを開閉する各回転開閉板が具備されており、上記回転軸の後方である下水流入ホールの周りや遮集管渠の後方壁には、上記各回転開閉板の開放角度を取り締まる一つ以上の開放ストッパが具備されており、上記回転軸の前方や後方の下水流入ホールの周りには、上記各回転開閉板の閉鎖状態を取り締まる一つ以上の水平維持ストッパが具備される。
2008502828.tif 000002
【特許請求の範囲】
【請求項１】
下水路１の排出側に具備されており、一つ以上の下水流入ホール２１を含む下水路用遮集管渠２において、
上記下水流入ホール２１には横方向に横切る回転軸３が具備されるのだが、この回転軸３には下水の量により下水流入ホール２１を開閉する各回転開閉板４が具備されており、
上記回転軸３の後方である下水流入ホール２１の周りや遮集管渠２の後方壁には、上記各回転開閉板４の開放角度を取り締まる一つ以上の開放ストッパ５が具備されており、
上記回転軸３の前方や後方の下水流入ホール２１の周りには、上記各回転開閉板４の閉鎖状態を取り締まる一つ以上の水平維持ストッパ６が具備されていることを特徴とする遮集管渠の土砂流入防止装置。
【請求項２】
上記回転軸３は、上記各回転開閉板４の中間に連結手段３１を介して固定されていることを特徴とする請求項１に記載の遮集管渠の土砂流入防止装置。
【請求項３】
上記回転軸３は、上記各回転開閉板４の中間前方に偏重されて連結手段３１を介して固定されていることを特徴とする請求項１に記載の遮集管渠の土砂流入防止装置。
【請求項４】
上記水平維持ストッパ６は、下水流入ホール２１の周りの前方上端部に各回転開閉板４の前端が掛かるように形成された溝６１で構成されていることを特徴とする請求項１に記載の遮集管渠の土砂流入防止装置。
【請求項５】
上記水平維持ストッパ６は、下水流入ホール２１の周りの前方端部に突出して具備され、各回転開閉板４の前方が掛かる突出部６２で構成されていることを特徴とする請求項１に記載の遮集管渠の土砂流入防止装置。
【請求項６】
上記水平維持ストッパ６は、下水流入ホール２１の周りの後方上端部に突出して具備された突出端部６３で構成されていることを特徴とする請求項１に記載の遮集管渠の土砂流入防止装置。
【請求項７】
上記突出端部６３は、一定の幅の水平板で構成され、上記水平板の前方には下水の流入を容易にできるように多数の陥没溝部６３１が形成されていることを特徴とする請求項６に記載の遮集管渠の土砂流入防止装置。
【請求項８】
上記下水流入ホール２１の周りの端部には、上記回転軸３の前方である両側端部と前方端部とに、回転開閉板４が閉鎖状態に回転する場合に、遮集管渠２に下水路の下水が流入するのを防止するために、回転開閉板４の下面の前方周りが密着され得るように突出板２３１とゴム２３２とで構成された止水板２３がさらに突出して構成されており、
上記回転軸３の後方である両側端部と前方端部とに、回転開閉板４が閉鎖状態に回転する場合に、遮集管渠２に下水路の下水が流入するのを防止するために、回転開閉板４の上面の後方周りが密着され得るように突出板２３１とゴム２３２とで構成された止水板２３がさらに突出して具備されていることを特徴とする請求項１に記載の遮集管渠の土砂流入防止装置。
【請求項９】
上記各回転開閉板４の後方下部には、一つ以上の後方錘７がさらに具備されていることを特徴とする請求項１〜８のいずれか１項に記載の遮集管渠の土砂流入防止装置。
【請求項１０】
上記後方錘７は、
縦方向にタップホール７１１が具備されるように上記各回転開閉板４に固定されるナット７１と、
上記タップホール７１１に縦方向に締結され、前方、及び後方の位置調整を介して上記回転軸３を中心にした後方錘７の下降重量を可変させる螺旋軸７２とで構成されていることを特徴とする請求項９に記載の遮集管渠の土砂流入防止装置。
【請求項１１】
上記各回転開閉板４の前方下部には一つ以上の前方錘８がさらに具備されていることを特徴とする請求項９に記載の遮集管渠の土砂流入防止装置。
【請求項１２】
上記前方錘８は、
縦方向にタップホール８１１が具備されるように上記各回転開閉板４に固定されるナット８１と、
上記タップホール８１１に縦方向に締結され、前方、及び後方の位置調整を介して上記回転軸３を中心にした前方錘８の下降重量を可変させる螺旋軸８２とで構成されていることを特徴とする請求項１１に記載の遮集管渠の土砂流入防止装置。
【請求項１３】
上記下水流入ホール２１は、周りに具備される骨組み２１１をさらに含むことを特徴とする請求項１に記載の遮集管渠の土砂流入防止装置。
【請求項１４】
上記回転軸３の両端と下水流入ホール２１の両側との間には、回転軸の回転を円滑にするベアリング３２がさらに具備されていることを特徴とする請求項１、２、３、または１３に記載の遮集管渠の土砂流入防止装置。
【請求項１５】
上記連結手段３１は、上記回転軸３が回転可能に組み立てられるベアリング３１２を含み、上記各回転開閉板４の下部に固定される一つ以上のベアリングブラケット３１１で構成されていることを特徴とする請求項１４に記載の遮集管渠の土砂流入防止装置。
【発明の詳細な説明】
【発明の詳細な説明】
【０００１】
〔技術分野〕
本発明は、遮集管渠の土砂流入防止装置に関するものであり、より具体的には、雨水により下水路に流入する下水量が増加する場合、下水路に具備された遮集管渠に土砂が流入するのを防止しようとする下水路遮集管渠の土砂流入防止装置に関するものである。
【０００２】
〔背景技術〕
一般的な下水路は、大量の下水を集めて排水する通路をいうものであり、排出側が通常的に川とつながっている。
【０００３】
つまり、通常的に知られた下水路は、排出側に具備され、流入する下水を浄化できるように下水処理場に誘導する遮集管渠を含み、上記遮集管渠の後方に一定の高さで具備され、流入する下水に含まれた土砂が遮集管渠に流入するのを防止し、狭窄物を取り除く遮断壁も含む。
【０００４】
そして、上記遮集管渠は、縦方向の下水路に対してその下部に横方向に具備されるものであり、下水路を貫通する上部開放部を含むものである。そして、上記上部開放部は、多数の縦型台で区画され、多数の遮断隔壁が間隔をおいて具備されており、上記遮断隔壁たちの間には両側縦型台を含む多数の下水流入ホールが形成されている。
【０００５】
また、上記遮断壁は、土砂の通過を塞ぐ多数の壁と壁の間に具備され、下水に含まれた狭窄物を取り除いて上記遮集管渠に流入させるスクリーンで構成される。
【０００６】
しかし、上記のように構成された従来の下水路は、雨水により下水の流入量が多い場合に、土砂が上記遮断壁を越えて直に遮集管渠に流入する。従って、遮集管渠に土砂が積もることになり、遮集管渠の排水断面が小さくなるのは勿論、下水処理場に土砂が流入することにより、下水処理場の浄化効率を低下させるという問題点を有していた。
【０００７】
そこで、このような問題点を解消できるように、従来より雨天時に遮集管渠に土砂が流入するのを防止する土砂流入防止装置が知られているのだが、従来の多様な土砂流入防止装置を説明すると、下記の通りである。
【０００８】
まず、大韓民国実用新案登録出願第１９９９−１８５３０号の“土砂流入防止装置”(以下、“従来の第１実施例の土砂流入防止装置”と称する)が知られている。
【０００９】
つまり、従来の第１実施例の土砂流入防止装置は、遮集管渠の上部に形成された下水流入ホールに後方固定軸を介して開閉可能に具備されており、下水流入口を含むフレームプレートと、下部流入ホールの下部である遮集管渠の内部に具備されているサポートと、上記フレームプレートの前方及び上記サポートの間に設置されるスプリング装置と、上記フレームプレートの下部に設置され、フレームプレートが閉鎖された時に下水流入口を塞いでくれる下水流入防止板とで構成されることを特徴とする。
【００１０】
従って、上記のように構成された土砂流入防止装置は、平常時はスプリング装置の弾発力により上記フレームプレートの後方が下向きになるように傾斜がついていることにより、一定の流量で通過する下水が下水流入口を通過して遮集管渠を介して下水処理場に誘導される。そして、雨天時は下水の流入量が増加することにより、フレームプレートが水平状態に維持されながら、下水流入口を塞ぐことになる。従って、雨天時は土砂と共に流入する下水が遮集管渠に流入せずに、直に川に排出されることになる。
【００１１】
しかし、上記のように構成された従来の第１実施例の土砂流入防止装置は、スプリング装置の弾発力を利用してフレームプレートを開閉する装置であり、長時間使用する場合は、スプリング装置の復元力が喪失されて、元来の機能を遂行できなくなるという問題点を有していた。
【００１２】
また、スプリング装置が遮集管渠の内部に具備され、下水と常に接触することにより、短時間内に容易に腐食するという問題点を有していた。
【００１３】
そこで、上記のような問題点を解消できるように、従来は大韓民国実用新案登録出願第２００１−１７０６号の“土砂流入防止装置”(以下、“従来の第２実施例の土砂流入防止装置”と称する)が知られている。
【００１４】
つまり、従来の第２実施例の土砂流入防止装置は、遮集管渠の下水流入ホールの周りに具備されたサポートと、サポートの中間前方に具備され、回動軸を介して傾斜がついて具備されるフレームプレートとで構成されていることを特徴とする。
【００１５】
従って、上記のように構成された土砂流入防止装置は、平常時は上記フレームプレートの後方が開放するように傾斜がついていることにより、一定の流量で通過する下水が遮集管渠に流入されて下水処理場に誘導される。そして、雨天時は、下水の流入量が増加することによりフレームプレートの前方が下向きになり水平状態になることにより、土砂と共に流入する下水が遮集管渠に流入せず、直に川に排出されるのである。
【００１６】
ところが、上記のように構成された従来の第２実施例の土砂流入防止装置は、図１２に示されているように、平常時は下水の量が一定なことにより、回動軸２０を中心にフレームプレート３０が傾いて後方が開放された状態（実線で表示された状態）を維持することになる。
【００１７】
しかし、下水が急激に増える雨天時は、瞬間的に下水の量が多くなるのだが、下水が急激に多くなる瞬間は、多量の下水がフレームプレート２０の下部に衝突すると同時に、遮集管渠１０に流入する現象が発生することにより、瞬間的にフレームプレート３０がほとんど垂直の状態（二点鎖線で表示された状態）を維持することになる。
【００１８】
その後、上記遮集管渠に下水が完全に満たされた後、流入する多量の下水が直線に移動することにより、フレームプレート３０の上部を押すことになる。従って、下水量が多くなる瞬間から時間が経過した後、フレームプレート３０が水平状態に変更されて流入管を遮断するのである。
【００１９】
従って、雨水による下水量の増える初期は、下水と共に土砂が遮集管渠１０に流入する現象が発生するという問題点を有していた。
【００２０】
〔発明の開示〕
そこで、本発明は、上記のような問題点を解消できるように発明されたものであり、雨水により下水量の増える初期に、開放ストッパを介して各回転開閉板の後方が下向きになる現象を防止することにより、下水量の増える初期に土砂が遮集管渠に流入するのを防止する土砂流入防止装置を提供することをその目的とする。
【００２１】
また、各回転開閉板が下水の重量だけで開放されるようにする目的もある。
【００２２】
また、回転軸を前方に偏重するように装着して、各回転開閉板の後方を重くすることにより、平常時の遮集管渠の下水流入を円滑にしようという目的もある。
【００２３】
また、各回転開閉板の後方下部に、交換可能であるか、荷重調整の可能な別途の後方錘を具備することにより、雨水による下水量の変化と相応して各回転開閉板の閉鎖力を調整できるのは勿論、平常時は各回転開閉板の後方を常に開放させることができるようにする目的もある。
【００２４】
また、ベアリングを回転軸の両端は勿論、回転軸と各回転開閉板を連結する部分にも二重に装着することにより、下水量の変化に対して各回転開閉板が敏感であり、かつ精密に動作するようにする目的もある。
【００２５】
上記の目的を達成するための本発明は、下水路の排出側に具備されており、一つ以上の下水流入ホールを含む下水路用遮集管渠において、上記下水流入ホールには横方向に横切る回転軸が具備されるのだが、この回転軸には下水の量により下水流入ホールを開閉する各回転開閉板が具備されており、上記回転軸の後方である下水流入ホールの周りや遮集管渠の後方壁には、上記各回転開閉板の開放角度を取り締まる一つ以上の開放ストッパが具備されており、上記回転軸の前方や後方の下水流入ホールの周りには、上記各回転開閉板の閉鎖状態を取り締まる一つ以上の水平維持ストッパが具備されていることを特徴とするものである。
【００２６】
〔発明を実施するための最良の形態〕
以下、本発明の好ましい実施例を添付の図面を参照して詳細に説明する。
【００２７】
図１は、本発明の第１実施例による土砂流入防止装置の具備された下水路を示した斜視図を示し、図２は、第１実施例による土砂流入防止装置を示した拡大斜視図を示し、図３は、図２のＡ−Ａ線における断面の拡大図を示す。
【００２８】
まず、本発明の土砂流入防止装置は、下水路１の排出側に具備され、一つ以上の下水流入ホール２１を含む遮集管渠２に具備されるものであり、特に雨天時は上記下水流入ホール２１に土砂が流入するのを防止するものである。そして、上記下水流入ホール２１は、遮集管渠２上部の開放部に間隔をおいて形成されるものである。つまり、上記下水流入ホール２１は、開放部に多数の縦型台が間隔をおいて具備されており、上記縦型台の間を、間隔をおいて覆う多数の遮断隔板２１の間に具備されるものである。従って、上記下水流入ホール２１の周りは、両側に具備された縦型台と上記遮集管渠２を構成する前方壁、及び後方壁の上部を含むものであり、以下下水流入ホール２１や下水流入ホール２１の周りを説明する場合において、その具体的な説明は省略する。
【００２９】
本発明の土砂流入防止装置は、上記下水流入ホール２１に横方向に横切って装着された回転軸３が具備され、下水の量により下水流入ホール２１を開閉する各回転開閉板４と、上記回転軸３の後方である下水流入ホール２１の周りまたは遮集管渠１の後方壁に具備され、上記各回転開閉板４の開放角度を取り締まる一つ以上の開放ストッパ５と、上記回転軸３の前方または後方の下水流入ホール２１の周りに具備され、上記各回転開閉板４の閉鎖状態を取り締まる一つ以上の水平維持ストッパ６とで構成されることを特徴とする。
【００３０】
そして、上記回転軸３は、上記各回転開閉板４の中間に連結手段３１を介して固定されている。従って、中間が回転軸３で固定された各回転開閉板４の後方は、流入する下水の重量だけでも開放することができるのである。ところが、添付の図面では後方錘７がさらに具備された実施例を示した。
【００３１】
また、上記下水流入ホール２１の周りは、回転軸３と回転開閉板４を十分に支持することができるように、強度の優れた金属材の骨組み２１１を含むものである。
【００３２】
また、上記水平維持ストッパ６は、下水流入ホール２１の周りの前方上端部に上記各回転開閉板４の前端が掛かるように形成された溝６１で構成されている。
【００３３】
並びに、上記各回転開閉板４の後方下部には、下水量により各回転開閉板４の閉鎖力を調整することができるように、一つ以上の後方錘７がさらに具備されているものである。つまり、上記後方錘７は、必要により重量を加減できるように鉤具などの連結手段を介して交換可能に具備されるものである。
【００３４】
また、通常時は上記後方錘７が各回転開閉板４の後方を下部に常に引っ張ることにより、各回転開閉板４の後方を開放させる役割も遂行するのである。
【００３５】
図４は、図３のＢ−Ｂ線における断面図であり、上記回転軸３の両端と下水流入ホール２１の両側との間には、回転軸３の回転を円滑にするベアリング３２が具備されている。
【００３６】
そして、上記連結手段３１は、上記回転軸３が回転可能に組み立てられており、上記各回転開閉板４の下部に固定される一つ以上のベアリングブラケット３１１で構成されるものである。つまり、上記回転軸３は、ベアリングブラケット３１１に含まれるベアリング３１２を貫通して組み立てられ、円滑に回転できるのである。
【００３７】
従って、上記のようにベアリング３２、３１２を、回転軸３の両端は勿論、連結手段３１にも二重で具備することにより、下水量の変化に対して各回転開閉板４が敏感に回転され得るようにして、各回転開閉板４の非回転による故障を事前に予防することができるのである。
【００３８】
一方、未説明符号１１は、下水路１の遮集管渠２の後方に一定の高さで具備され、流入する下水に含まれた土砂が遮集管渠２に流入するのを防止する“遮断壁”を示し、未説明符号１１１は、上記遮断壁１１に含まれ、下水を物理的にフィルターリングする“スクリーン”を示す。
【００３９】
以下、上記のように構成された第１実施例の土砂流入装置の動作関係を説明すると、次の通りである。
【００４０】
図５は、本発明の第１実施例の土砂流入防止装置の動作を説明するための図面であり、平常時は下水流入ホール２１に具備された各回転開閉板４の後方が開放状態（実線で表示された状態）を維持することにより、一定の量で流入する下水が、下水流入ホール２１を通過して遮集管渠２に流入され下水処理場に排出されるのである。
【００４１】
反対に、雨の降り始めた初期は、土砂の含まれた多量の下水が瞬間的に各回転開閉板４の後方の開放部に集中して流入するのだが、上記各回転開閉板４の後方は、開放ストッパ５を介して支持されていることにより、各回転開閉板４の後方がそれ以上下部に回転されなくなる。
【００４２】
従って、多量の土砂の混ざった下水は、各回転開閉板４の後方から直に各回転開閉板４の上部に移動し、各回転開閉板４の上部を下へと押すことにより、各回転開閉板４が迅速に水平状態（二点鎖線で表示された状態）に変更され、遮集管渠２の下水流入ホール２１を閉じるのである。
【００４３】
従って、下水量が瞬間的に増える雨の降り始めた初期に、土砂が遮集管渠２に流入するのを防止することにより、土砂の流入により遮集管渠２の断面積が縮小される現象を防止するのは勿論、土砂が下水処理場に流入するのを防止することができるのである。
【００４４】
そして、図３に示されているように、上記各回転開閉板４の後方下部に具備された後方錘７を交換して各回転開閉板４の閉鎖力を調整することもできるのである。
【００４５】
従って、上記のように各回転開閉板４の閉鎖力を調整することにより、下水量の変化に相応して迅速な措置を取ることができ、下水量に関係なく装置を互換的に使用することもできるのである。
【００４６】
一方、図６は、本発明による水平維持ストッパの他の実施例を示したものであり、上記第１実施例において、上記水平維持ストッパ６は、下水流入ホール２１の周りの前方端部に各回転開閉板４の前方が掛かる突出部６２で構成されることを特徴とするものである。
【００４７】
つまり、上記突出部６２は、ボルトや溶接などの固定手段を介して下水流入ホール２１の周りに固定される。
【００４８】
従って、上記下水流入ホール２１の前方端部から後方に突出された突出部６２を介して上記各回転開閉板４の前方が下降するのを防止するのである。
【００４９】
また、図７は、本発明による水平維持ストッパのさらに他の実施例を示したものであり、上記第１実施例において上記水平維持ストッパ６は、下水流入ホール２１の周りの後方上端部に突出して具備された突出端部６３で構成されることを特徴とするものである。
【００５０】
上記突出端部６３は、一定の幅の水平板で構成され、上記水平板の前方には下水の流入を円滑にできるように多数の陥没溝部６３１が形成されている。
【００５１】
従って、上記突出端部６３は、雨天時は各回転開閉板４の後方上部を押して各回転開閉板４を水平に維持できるようにするものである。そして、前方に形成された陥没溝部６３１は、下水が遮集管渠２に円滑に流入され得るようにするガイドの役割をするのである。
【００５２】
図８は、本発明の第２実施例による土砂流入防止装置を示したものであり、上記第１実施例の構成において、上記各回転開閉板４の前方下部にも下水量による閉鎖力を調整できるように、一つ以上の前方錘８がさらに具備されていることを特徴とするものである。
【００５３】
従って、上記のように前方の下部に前方錘８を具備することになると、外部から前方錘８を容易に交換することにより、各回転開閉板４の閉鎖力を調整することができるようになるのである。
【００５４】
一方、図９は、本発明による前方錘、及び後方錘の他の実施例を示したものであり、本発明による他の実施例の後方錘７は、縦方向にタップホール７１１が具備されるように上記各回転開閉板４に固定されるナット７１と、上記タップホール７１１に縦方向に締結され、前方、及び後方の位置調整を介して上記回転軸３を中心にした後方錘７の下降重量を可変させる螺旋軸７２とで構成されていることを特徴とする。
【００５５】
従って、上記螺旋軸７２を回転させて前方、及び後方の位置を調整することにより、上記回転軸３を中心にした後方錘７の下降重量を可変させることができるのである。従って、下水量の変化と相応するように各回転開閉板４の閉鎖力を容易に調整することができるのである。
【００５６】
また、本発明による他の実施例の前方錘８は、縦方向にタップホール８１１が具備されるように上記各回転開閉板４に固定されるナット８１と、上記タップホール８１１に縦方向に締結され、前方、及び後方の位置調整を介して上記回転軸３を中心にした前方錘８の下降重量を可変させる螺旋軸８２とで構成されていることを特徴とするものである。
【００５７】
従って、上記螺旋軸８２を回転させて前方、及び後方の位置を調整することにより、上記回転軸３を中心にした前方錘８の下降重量を可変させることができるのである。従って、下水量の変化と相応するように各回転開閉板４の閉鎖力を調整することができるのである。
【００５８】
図１０は、本発明の第３実施例による土砂流入防止装置を示したものである。まず、本発明による第３実施例の土砂流入防止装置は、各回転開閉板４を支持する回転軸３を除いた他の構成は上述した第１、２実施例と同一であることを前提とする。
【００５９】
本発明による第３実施例の土砂流入防止装置は、各回転開閉板４を支持する回転軸３が上記各回転開閉板４の中間前方に連結手段３１を介して固定されることを特徴とするものである。
【００６０】
従って、上記回転軸３を各回転開閉板４に対して前方に偏重して装着し、各回転開閉板４の後方を重くすることにより、平常時に各回転開閉板４の開放状態を安定して維持できるようにする長所を有するのである。
【００６１】
図１１は、本発明の第４実施例による土砂流入防止装置を示した断面図であり、上記下水流入ホール２１の周りの端部、つまり上記回転軸３の前方である両側端部と前方端部とには、回転開閉板４が閉鎖状態に回転する場合に、遮集管渠２に下水路の下水が流入するのを防止するために、回転開閉板４の下面の前方周りが密着され得るように突出板２３１とゴム２３２とで構成された止水板２３がさらに突出して具備されており、また上記回転軸３の後方である両側端部と前方端部とには、回転開閉板４が閉鎖状態に回転する場合に、遮集管渠２に下水路の下水が流入するのを防止するために、回転開閉板４の上面の後方周りが密着され得るように突出板２３１とゴム２３２とで構成された止水板２３がさらに突出して具備されることを特徴とするものである。
【００６２】
従って、雨のたくさん降る梅雨の時期などは、上記各回転開閉板４を密閉可能に閉じることにより、梅雨の時期に土砂の混ざった下水が遮集管渠に流入するのを予防することもできる。
【００６３】
〔産業上の利用可能性〕
上述したような本発明は、雨水により下水量の増える初期に、土砂が遮集管渠に流入するのを防止することにより、土砂の流入により遮集管渠の断面積が縮小される現象を防止するのは勿論、土砂が下水処理場に流入するのを防止する効果を有するのである。
【００６４】
また、各回転開閉板を下水の重量だけで開放できるようにすることにより、装置の製造単価を最大限低めることができる効果も有するのである。
【００６５】
また、各回転開閉板の後方を重くして、平常時に遮集管渠の下水流入を円滑にできるようにする効果も有するのである。
【００６６】
また、各回転開閉板の後方錘を交換して調整し、雨水による下水量の変化と相応するように各回転開閉板の閉鎖力を調整することにより、下水量の変化に相応して迅速な措置が取れるので、下水量に関係なく、装置を互換的に使用できるのは勿論、平常時は上記後方錘が各回転開閉板の後方を常に開放させることにより、遮集管渠に下水が円滑に流入するようにする効果も有するのである。
【００６７】
また、下水量の変化に対して各回転開閉板が敏感に動作し得るようにすることにより、各回転開閉板の非回転による故障を事前に予防することができる効果も有するのである。
【００６８】
本発明は、添付の図面を参照して好ましい実施例を中心に記述されたが、当業者ならこのような記載から本発明の範疇を脱することなく、たくさんの多様で自明な変形が可能であるということは明白である。従って、本発明の範疇は、このような多くの変形例を含むように記述された請求範囲により解釈されるべきである。
【図面の簡単な説明】
【００６９】
【図１】本発明の第１実施例による土砂流入防止装置の具備された下水路を示す斜視図である。
【図２】本発明の第１実施例による土砂流入防止装置を示す拡大斜視図である。
【図３】図２のＡ−Ａ線における断面の拡大図である。
【図４】図３のＢ−Ｂ線における断面図である。
【図５】本発明の第１実施例の土砂流入防止装置の動作を説明するための概略断面図である。
【図６】本発明による水平維持ストッパの他の実施例を示した断面図である。
【図７】本発明による水平維持ストッパのさらに他の実施例を示した断面図である。
【図８】本発明の第２実施例による土砂流入防止装置を示した断面図である。
【図９】本発明による前方錘、及び後方錘の他の実施例を示した断面図である。
【図１０】本発明の第３実施例による土砂流入防止装置を示した断面図である。
【図１１】本発明の第４実施例による土砂流入防止装置を示した断面図である。
【図１２】従来の土砂流入防止装置の動作を説明するための概略断面図である。
【図１】
2008502828.tif 000003
【図２】
2008502828.tif 000004
【図３】
2008502828.tif 000005
【図４】
2008502828.tif 000006
【図５】
2008502828.tif 000007
【図６】
2008502828.tif 000008
【図７】
2008502828.tif 000009
【図８】
2008502828.tif 000010
【図９】
2008502828.tif 000011
【図１０】
2008502828.tif 000012
【図１１】
2008502828.tif 000013
【図１２】
2008502828.tif 000014
【国際調査報告】
2008502828.tif 000015
2008502828.tif 000016